(57)【特許請求の範囲】
【請求項１】
複数枚のシートフイルムユニットを積層して収納するパック本体と、このパック本体の前面壁に形成され最上層のシートフイルムユニットを露呈させる開口と、パック本体の両縁部に形成された一対のガイドレールを介してスライド自在に組み込まれ、前記開口を開閉する引蓋と、引蓋がスライドされるパック本体の摺接面に設けられ、引蓋との隙間から外光がパック本体内に入り込むことを阻止するテレンプ部材とを備えたシートフイルムパックにおいて、
前記パック本体の摺接面に断面形状がＶ字形の溝を引蓋のスライド方向と直角に形成し、この溝の少なくとも前記開口側の傾斜面に弾性板で裏打ちしたテレンプ部材をその縁部が溝の外まで突出するように固着したことを特徴とするシートフイルムパック。
【請求項２】
前記弾性板で裏打ちしたテレンプ部材は、その両端部がガイドレールの溝の内側まで挿入されていることを特徴とする請求項１記載のシートフイルムパック。
【発明の詳細な説明】
【０００１】
【発明の属する技術分野】
本発明は、シートフイルムパックの改良に関し、更に詳しくは引蓋とパック本体の摺接面との隙間から内部のフイルムに外光が射し込むことを確実に防止するシートフイルムパックに関するものである。
【０００２】
【従来の技術】
シートフイルムパックは、パックホルダに装填して使用され、引蓋の抜き差し操作を行うことにより大型カメラで連続撮影を可能にするものである。シートフイルムパックのパック本体には、４×５インチのシートフイルムを１枚ずつシースに収納したシートフイルムユニットが複数枚積層して収納されている。
【０００３】
例えば特許文献１で本出願人が提案したシートフイルムパックでは、パック本体の端部内側にシートフイルムユニットの端位置を規制する間仕切り板が形成されている。この間仕切り板の下端面とパック本体の背面内壁面との間には、露光済みのシートフイルムユニットを積層したシートフイルムユニットの最下層に収納するスリット状の開口が形成されている。そして、この開口を遮光するキャップ部材がパック本体の先端部に着脱自在に取り付けられている。
【０００４】
キャップ部材の内部には、爪部材が設けられ、これが引蓋の係合穴に係合して引蓋とキャップ部材とが連結されている。フイルムパックをパックホルダに装填してパックホルダの蓋を閉じると、この閉じ操作に伴って蓋の内壁に形成された突起部が爪部材の突起を押し下げて爪部材を移動させるから、引蓋とキャップ部材との連結が解除されるようになっている。
【０００５】
フイルムパックをパックホルダに装填してパックホルダの蓋を閉じた後、引蓋を所定位置まで引くと、最上層のシートフイルムユニットがパック本体の開口からホルダ本体の露光位置に移動する。この露光位置を規定し、露光開口が形成されたホルダ本体の前面壁の内側には、撮影済みのシートフイルムユニットをホルダ本体の背面内壁に向かって付勢する複数の板バネが取り付けられている。
【０００６】
引蓋を元の位置に戻すと、引蓋は最上層のシートフイルムユニットと次のシートフイルムユニットとの間に挿入される。この後、カメラのシャッタを開閉させて撮影を行ってから引蓋を引くと、ホルダ本体の内側に設けられた中枠がパック本体を保持した状態でスライドして引き出される。このとき、撮影済みのシートフイルムユニットは、ホルダ本体の内壁に形成された突条部に係止して露光位置に停止したままであるから、前記板バネによってホルダ本体の背面内壁側に向かって押しつけられる。
【０００７】
続いて引蓋を元の位置に押し戻すと、中枠とともにパック本体がホルダ本体の元の位置に戻る。このとき、間仕切り板の下端面とパック本体の背面内壁面との開口から露光済みのシートフイルムユニットが積層したシートフイルムユニットの最下層に収納される。以上の操作を繰り返すことにより、パック本体に収納されている全部のシートフイルムユニットを連続的に撮影することができる。
【０００８】
また、パック本体にはシートフイルムユニットを収納しているフイルム収納室の他にカウンタ収納室が設けられ、この中に引蓋側開口部を介してカウンタ表示板が収納されている。このカウンタ表示板は、上記操作を１回行う度にホルダ本体側の機械的な変位信号を受けて回動歩進される。このため、カウンタ収納室には、この変位信号を受け入れる信号受入開口部が形成されている。
【０００９】
また、引蓋側開口部側には、カウンタ表示板の周縁に形成された逆転防止爪に係合して上下動されるバネ部を有する押さえ板が設けられている。この押さえ板は、最後のシートフイルムユニットの撮影終了後、カウンタ表示板の歩進動作に伴って上昇され、その上端が引蓋の係合穴に係合して引蓋をロックする。
【００１０】
【特許文献１】
特開平５−３４１３７９号公報
【００１１】
【発明が解決しようとする課題】
上記信号受入開口部は、その機能上、常に開口状態にあり、外光が射し込みやすい状態になっている。信号受入開口部から射し込んだ光は、通常は引蓋で阻止されるが、上記押さえ板のバネ部の端を直接に引蓋内面に接触させた場合、押さえ板のバネ力により引蓋が押し上げられる結果となるから、引蓋とパック本体の摺接面との隙間から内部のフイルムまで外光が達するおそれがある。
【００１２】
本発明は上記事情を考慮してなされたもので、引蓋とパック本体の摺接面との隙間から内部のフイルムに外光が射し込むことを確実に防止するシートフイルムパックを提供することを目的とする。
【００１３】
【課題を解決するための手段】
上記目的を達成するために、本発明のシートフイルムパックは、複数枚のシートフイルムユニットを積層して収納するパック本体と、このパック本体の前面壁に形成され最上層のシートフイルムユニットを露呈させる開口と、パック本体の両縁部に形成された一対のガイドレールを介してスライド自在に組み込まれ、前記開口を開閉する引蓋と、引蓋がスライドされるパック本体の摺接面に設けられ、引蓋との隙間から外光がパック本体内に入り込むことを阻止するテレンプ部材とを備えたシートフイルムパックにおいて、前記パック本体の摺接面に断面形状がＶ字形の溝を引蓋のスライド方向と直角に形成し、この溝の少なくとも前記開口側の傾斜面に弾性板で裏打ちしたテレンプ部材をその縁部が溝の外まで突出するように固着したものである。また、前記弾性板で裏打ちしたテレンプ部材は、その両端部がガイドレールの溝の内側まで挿入されるようにしたものである。
【００１４】
【発明の実施の形態】
図２において、本発明を適用したシートフイルムパック１は、先端部に着脱自在なキャップ部材２を有する箱型のパック本体３と、その中に積層して収納された複数枚のシートフイルムユニット４と、パック本体３の前面に形成された開口３ａを開閉する把手５ａ付きの引蓋５とを備えている。
【００１５】
引蓋５はシートフイルムユニット４よりもサイズが大きく、把手５ａを持って押し引きすることにより、パック本体３の両縁部に形成した一対のガイドレール６，７の溝６ａ，７ａに沿ってスライドさせることができる。なお、図３，図４及び図５に示すように、引蓋５を完全に差し込んだ状態のシートフイルムパック１の外観の長さＤ1 ，幅Ｄ2 ，高さＤ3 は、それぞれ例えば２０９ｍｍ，１１６．６ｍｍ，１９．９ｍｍであり、またパック本体３の幅Ｄ4 ，キャップ部材２の高さＤ5 は、それぞれ例えば１０６．９ｍｍ，２２．６ｍｍである。
【００１６】
キャップ部材２は、図６に示すように、内部に爪部材８を備えている。この爪部材８には爪８ａ，８ｂが形成され、これらが引蓋５の先端側に形成された係止穴５ｂ，５ｃと係合して引蓋５をキャップ部材２に係止する。爪部材８は、その下部に二股状のバネ部８ｃ，８ｄを有しており、これによって常時引蓋５側に付勢されている。
【００１７】
また、爪部材８には、前記爪８ａ，８ｂと直角方向に突起８ｅ，８ｆが形成されており、これらがキャップ部材２の開口２ａ，２ｂから突出されている。この開口２ａ，２ｂは、爪部材８の移動方向に幅広くなっている。突起８ｅ，８ｆの開口２ａ，２ｂからの突出量は、開口２ａ，２ｂの左右に設けられた突条９の高さと同一になっており、不用意に突起８ｅ，８ｆが押圧されないようになっている。
【００１８】
突起８ｅ，８ｆは、フイルムパック１をパックホルダ１０に装填したときに、後述するパックホルダ１０側の突起部によって押し下げられ、爪８ａ，８ｂは係合していた係止穴５ｂ，５ｃから外れる。また、キャップ部材２の上部には、溝部２ｃが形成されており、フイルムパック１をパックホルダ１０に装填したときに、これにパックホルダ１０側の突条部が係合してキャップ部材２をパックホルダ１０内に係止する。
【００１９】
爪部材８は、シース受け部１３によってキャップ部材２の内部に上下動自在に封入されている。このシース受け部１３は、蓋部１３ａと、露光済みのシートフイルムユニット４の端部を受ける受け部１３ｂとからなる。このシース受け部１３の上方は引蓋５の先端がキャップ部材２内に入り込めるように、またその下方及び左右はパック本体３の先端部３ｂ及びガイドレール６，７の先端部６ｂ，７ｂがキャップ部材２内に入り込めるように、それぞれ隙間が設けられている。
【００２０】
また、先端部３ｂの内側には、シートフイルムユニット４の端位置を規制する間仕切り板３ｃが、パック本体３の背面内壁３ｅとの間に隙間をとって設けられている。この隙間は、露光済みのシートフイルムユニット４を受け入れる回収口１４である。
【００２１】
ガイドレール６，７の先端部６ｂ，７ｂとキャップ部材２との関係を示す図１において、先端部６ｂ，７ｂは間仕切り板３ｃの外壁より先端部３ｂ側に延長されており、キャップ部材２が先端部３ｂに装着された際にはキャップ部材２の内側に挿入され、ガイドレール６，７の先端部６ｂ，７ｂとキャップ部材２との隙間からの外光洩れが防止される。この先端部６ｂ，７ｂの延長長さＤ6 は、下記の表１に示す遮光性と動作性に関する実験結果に基づいて決定し、例えば３〜７ｍｍ，更に好ましくは４〜６ｍｍとする。
【００２２】
【表１】
0003802470.tif 000002
【００２３】
引蓋５の内面には、把手５ａ側に段付き部５ｄ（図４参照）が形成され、これがパック本体３の端部と係合して引蓋５のキャップ部材２側への移動を阻止するから、引蓋５の先端部が爪部材８によってキャップ部材２に連結されている状態においてはキャップ部材２がパック本体３から外れることがない。
【００２４】
シートフイルムユニット４は、図７に示すように、４×５インチサイズのシートフイルム１５と、これを収納するプラスチック製のシース１６とから構成されている。このシース１６は、シートフイルム１５のベース面側を支持する底部１６ａと、シートフイルム１５の間仕切り板３ｃ側の１辺を除く３辺を取り囲むようにして形成された溝部１６ｂとからなる。
【００２５】
図４に示すように、パック本体３のフイルム収納室３ｄには例えば１０枚のシートフイルムユニット４が積層して収納されており、パック本体３の背面内壁に一端を固定した圧板バネ１７によって前面側に押圧されている。これにより最上層のシートフイルムユニット４は引蓋５の内面に圧着される。
【００２６】
図８及び図９において、パック本体３の端部には、ボックス状のカウンタ収納室２０が形成されており、この中に円形のカウンタ表示板２１が回動自在に落とし込まれている。そして、この上からバネ部２２ａを備えた押さえ板２２がカウンタ収納室２０のガイド溝２０ａに案内されて設けられ、更にその上からカウンタ収納室２０の引蓋側開口部２０ｂを遮光する遮蔽板２４が被せられている。この遮蔽板２４は、この３隅に形成された突起２４ａ，２４ｂ，２４ｃが、カウンタ収納室２０の対応する位置に形成された穴２０ｃ，２０ｄ，２０ｅに嵌合することにより、引蓋側開口部２０ｂに固定される。
【００２７】
カウンタ収納室２０の引蓋側開口部２０ｂが遮蔽板２４によって遮蔽されることにより、パックホルダ１０のカウンタ送り爪を受け入れるカウンタ収納室２０の背面内壁に形成された送り爪受入開口部２０ｆから外光が射し込んでも、この外光がパック本体３内のシートフイルム１５まで達するのが阻止される。また、押さえ板２２のバネ部端２２ｂは、遮蔽板２４の内壁面に規制されているから、押さえ板２２のバネ力により引蓋５が押し上げられることがなく、パック本体３の摺接面３ｆと引蓋５との隙間が大きくなることも防止される。
【００２８】
なお、遮蔽板２４の一部に押さえ板２２の上端２２ｃが遊挿される開口部２４ｄが形成されているが、開口部２４ｄの縁と上端２２ｃとの隙間から洩れる光量は極めて僅かであり、引蓋５がスライドされるパック本体３の摺接面３ｆに設けられた後述するテレンプ部材によって遮光されるから問題とならない。また、遮蔽板２４を引蓋側開口部２０ｂに固定するための突起２４ａ〜２４ｃ及び穴２０ｃ〜２０ｅを送り爪受入開口部２０ｆのスペースの関係で３個としたが、勿論４個としてもよい。
【００２９】
押さえ板２２の下端２２ｄはカウンタ表示板２１の周縁に形成された逆転防止爪２１ａに常に当接されている。この逆転防止爪２１ａは、撮影可能枚数を示す数字，例えば「１」，「２」，・・・，「１０」毎に一歯ずつ設けられ、これらの高さはいずれも同じであるが、エンドマークである「Ｅ」に対応する部分だけは他より高さが高く、またその上面が平らになっている。
【００３０】
これにより、撮影途中においては、押さえ板２２の上端２２ｃは開口部２４ｄを介して引蓋５の内壁面から所定の距離をおいて保持されているが、最後のシートフイルムユニット４が露光され、同シートフイルムユニット４がパック本体３に収納された後には、押さえ板２２が上昇されて上端２２ｃが引蓋５の係止穴５ｆに係合し、引蓋５が引き抜けないようにパック本体３にロックされる。
【００３１】
逆転防止爪２１ａの裏面の周縁には、前記「１」，「２」，「３」，・・・，「１０」及び「Ｅ」が刻印されており、これを観察するカウンタ表示窓２０ｇがカウンタ収納室２０の背面内壁に形成されている。
【００３２】
パック本体３のカウンタ収納室２０の近傍には、２つの穴２７，２８と切欠２９が形成されている。この穴２７，２８からは、パックホルダ１０のスライド枠に設けられたラッチ機構の爪部が突出され、これが前記係止穴５ｂ，５ｃに係合して引蓋５の引抜き範囲を規制する。また、切欠２９は後述する引蓋５の内面に形成された突起が入り込む。
【００３３】
パック本体３のフイルム収納室３ｄとカウンタ収納室２０との間には、図１０に示すように、Ｖ字形の溝３０が形成されている。この溝３０のフイルム収納室３ｄ側の傾斜面３０ａには、図１１に示すように、弾性板３４を裏打ちしたテレンプ部材３５が超音波溶着されている。この弾性板３４は、テレンプ部材３５に弾性を付与するもので、テレンプ部材３５より幅が同等，又はやや広い、例えばポリエチレンテレフタレート（ＰＥＴ）で形成されている。
【００３４】
弾性板３４及びテレンプ部材３５の幅は、傾斜面３０ａの幅よりかなり広く、傾斜面３０ａに接合されずに溝３０から突出された部分が大きくなっている（Ａ）。この部分が、引蓋５がガイドレール６，７の溝６ａ，７ａに挿入されたとき、引蓋５の内面に湾曲して密接されるから（Ｂ）、引蓋５がスライドされる摺接面３ｆと引蓋５との間隙から外光が内部に射し込むことが阻止される。
【００３５】
弾性板３４及びテレンプ部材３５の長さＤ7 は、ガイドレール６，７の溝６ａ，７ａ間の距離Ｄ8 ，例えば１０９．４ｍｍにほぼ近い１０９．２ｍｍに形成されており、弾性板３４及びテレンプ部材３５の端は、溝６ａ，７ａの各内側まで挿入されている。これによって、ガイドレール６，７の溝６ａ，７ａに沿って射し込む外光を遮断することができる。
【００３６】
なお、弾性板３４及びテレンプ部材３５は矩形でもよいが、傾斜面３０ａへの超音波溶着作業が行いやすいように、傾斜面３０ａとの溶着部分は、長さＤ7 よりやや短く、ほぼガイドレール６，７間の距離と同じなっている（例えば１０７．２ｍｍ）。
【００３７】
引蓋５の内面には、段付き部５ｇが設けられ、引蓋５の把手５ａ側の厚みＤ10と先端側の厚みＤ11とで段差が付けられている（Ｂ）。この厚みＤ10，Ｄ11は、例えば１．２ｍｍ，１．０ｍｍで段差は０．２ｍｍである。このように、引蓋５の把手５ａ側の厚みＤ10を先端側の厚みＤ11より大きくすることにより、引蓋５のスムーズな抜き差しと遮光性との両方が満足される。
【００３８】
パック本体３を示す図１０，図１２及び図１３において、パック本体３の全長Ｄ12は１９５．０ｍｍ，ガイドレール６，７の全長Ｄ13は１９１．０ｍｍ，ガイドレール６，７の先端から間仕切り板３ｃの内壁面までの長さＤ14は１８４．５ｍｍである。カウンタ収納室２０の中央部には、カウンタ表示板２１を回動自在に支持するボス２０ｈが形成されている。
【００３９】
前記ボス２０ｈの中心とパック本体３の先端部３ｇとの距離Ｄ15は１８．０ｍｍ，ボス２０ｈの中心とカウンタ表示窓２０ｇとの距離Ｄ16は８．０ｍｍである。また、このボス２０ｈの径は４．０ｍｍである。切欠２９は、左右の縁の長さが異なっており、一方の長さＤ17は５．０ｍｍで、他方の長さＤ18は７．０ｍｍ，そしてこれらの間が直線部と半径Ｒ1 （３．５ｍｍ）の円弧によって繋がれた形状になっている。また、先端部３ｇには切欠３７が形成され、この幅Ｄ19は９．０ｍｍになっている。
【００４０】
送り爪受入開口部２０ｆの長さＤ20は１２．０ｍｍ，先端部３ｇから送り爪受入開口部２０ｆの端までの距離Ｄ21は１０．０ｍｍである。カウンタ表示窓２０ｇは矩形状をしており、短辺の長さＤ22は３．４ｍｍ，長辺の長さＤ23は５．４ｍｍである。同様に、穴２７はＤ24（３．６ｍｍ）×Ｄ25（５．４ｍｍ），穴２８はＤ26（５．４ｍｍ）×Ｄ27（８．２ｍｍ）である。また、先端部３ｇから穴２８までの距離Ｄ28は２５．８ｍｍである。
【００４１】
先端部３ｇから、カウンタ収納室２０の外壁３ｈまでの長さＤ29は５．０ｍｍ，カウンタ収納室２０の内壁２０ｉまでの長さＤ30は２９．５ｍｍ，フイルム収納室３ｄまでの長さＤ31は５４．０ｍｍ，溝３０までの長さＤ32３６．０ｍｍである。そして、溝３０の前端部とフイルム収納室３ｄの隔壁３ｉとの距離Ｄ33は１６．０ｍｍである。
【００４２】
前記フイルム収納室３ｄの間仕切り板３ｃ寄りの背面内壁には、圧板バネ１７の一方の端位置を規制する突条部３９が形成されている。この突条部３９は、高さＤ34が１．０ｍｍであり、間仕切り板３ｃ側の面はフイルム収納室３ｄの背面内壁面の垂線に対して角度θ1 ，例えば６０°のテーパ面になっている。
【００４３】
引蓋５を示す図１４及び図１５において、引蓋５の全長Ｄ35は２０５．５ｍｍ，把手５ａの端面から段付き部５ｇまでの長さＤ36は４９．０ｍｍ，パック本体３の先端部３ｇと係合される段付き部５ｄから把手５ａの端面までの距離Ｄ37は１４．４ｍｍである。また、引蓋５の幅Ｄ61は１０９．２ｍｍ±０．１ｍｍであり、段付き部５ｇの幅Ｄ62は１０４．８ｍｍである。また、把手５ａの両端部はテーパ状になっており、このテーパ角度θ2 は６０°である。
【００４４】
引蓋５を定位置に戻した場合、パックホルダ１０の蓋５１の内面に付設されているノブ７０のスライド防止爪（図示せず）が潜り込み、ノブ７０のスライドを可能とする矩形状の穴５ｅは、短辺Ｄ38が４．０ｍｍ，長辺Ｄ39が７．０ｍｍであり、把手５ａの端面からの距離Ｄ40は１８．０ｍｍである。係止穴５ｆの短辺Ｄ41は２．４ｍｍ，長辺Ｄ42は４．４ｍｍであり、把手５ａの端面から係止穴５ｆの中間部までの距離Ｄ43は３１．０ｍｍである。
【００４５】
引蓋５の内面には、細長い溝５ｉが形成されている。これは、フイルムパック１をパックホルダ１０に装填したまま携行する場合に、安全のために引蓋５をロックするパックホルダ１０の引蓋ロックダイヤルが係合されるものである。この溝５ｉの長さＤ44は１４．０ｍｍである。また、引蓋５の内面には、把手５ａの端面から距離Ｄ45（２０．０ｍｍ）にパック本体３の切欠２９に入り込む突起５ｊと、パック本体３の切欠３７に係合される幅Ｄ46（６．０ｍｍ）の突起５ｋとが形成されている。
【００４６】
なお、突起５ｋは一旦引き出した引蓋５を戻す際に、撮影準備が完了した信号を表示するパックホルダ１０の所定部材を押圧するものである。また、突起５ｊは、撮影準備が完了した後にパックホルダ１０の所定部材と係合し、引蓋５とパック本体３とパックホルダ１０のスライド枠とが一体になってホルダ本体１０ａから引き出されるようにするものである。
【００４７】
係止穴５ｂ，５ｃの長さＤ47は５．６ｍｍで、その間の距離Ｄ48は６０．４ｍｍである。また、引蓋５の先端部５ｐの下面はテーパ状に形成されており、その幅Ｄ49は１．５ｍｍである。先端部５ｐから係止穴５ｂ，５ｃまでの距離Ｄ50は３．５ｍｍであり（図１５（Ｂ）参照）、係止穴５ｂ，５ｃの幅Ｄ51は１．５ｍｍである。この係止穴５ｂ，５ｃは把手５ａ側の縁がテーパ状に形成されており、その傾きθ3 は４５°である。
【００４８】
把手５ａの厚みＤ52は５．０ｍｍであり、その幅Ｄ53も５．０ｍｍである。突起５ｊの上面からの高さＤ54は４．４ｍｍ，突起５ｋの上面からの高さＤ55は６．４ｍｍである。溝５ｉの幅Ｄ56は２．２ｍｍであり、把手５ａの端面から溝５ｉまでの距離Ｄ57は１１．０ｍｍである。
【００４９】
上記フイルムパック１を装填して使用するパックホルダ１０は、図２に示すように、ホルダ本体１０ａと、これに回動自在に取り付けられた蓋５１と、ホルダ本体１０ａ内にスライド自在に取り付けられたスライド枠５２とからなる。蓋５１には、シートフイルムユニット４よりも小サイズの露光開口５３が設けられ、蓋５１の裏面は、シートフイルムユニット４の上面を受け止めてシートフイルムユニット４を露光位置に位置決めする受け面５４になっている。
【００５０】
前記受け面５４の長手方向には、一対の溝５４ａが形成されており、この溝５４ａの底面に一端が固着された板バネ５６が２個ずつ計４個設けられている。この板バネ５６は、フイルムパック１をパックホルダ１０内に装填して蓋５１を閉じた際にパック本体３を図中下側に押圧する。さらに、詳しくは後述するが、これらの板バネ５６は露光位置にあるシートフイルムユニット４を上から押さえつける作用も行う。
【００５１】
蓋５１のヒンジ近傍には、フイルムパック１の装填時にキャップ部材２の溝部２ｃに係合してキャップ部材２をパックホルダ１０内に係止する突条部５７と、爪部材８の突起８ｅ，８ｆを押し下げて爪８ａ，８ｂを引蓋５の係合穴５ｂ，５ｃから離脱させる一対の突起部５８とが形成されている。また、蓋５１の内壁面で露光開口５３の短辺側近傍には、蓋５１の内壁面と引蓋５との隙間から外光が入り込むことを阻止するテレンプ部材５９が固着されている。
【００５２】
スライド枠５２の後端側に設けられた箱部６０ａ，６０ｂ内には、ホルダ本体１０ａとの間でスライド枠５２のスライド移動を制御するとともに、前記カウンタ表示板２１を歩進する機構等が内蔵されている。なお、箱部６０ａ，６０ｂの上壁に形成された開口から突出された爪部６１，６２は、開口３ａの全開時に係止穴５ｂ，５ｃに係合され、引蓋５の引抜き範囲の規制等を行う。
【００５３】
スライド枠５２の前部中央には、引蓋ロックダイヤル６３が回動自在に取り付けられている。この引蓋ロックダイヤル６３は、フイルムパック１をパックホルダ１０に装填したまま携行する場合に、不用意にフイルムパック１の引蓋５が操作されるのを阻止するために設けられたもので、これをマニュアルで回転操作することにより円弧状の周端部が引蓋５の内面に形成された溝５ｉに係合され、引蓋５がスライド枠５２に係止される。また、引蓋ロックダイヤル６３の近傍には、円弧状突起６４が設けられている。この背面には、パックホルダ１０をカメラに装着した際に撮影者側から見える窓が設けられており、ここに撮影準備の完了時に例えば赤色の突起が表示される。
【００５４】
パックホルダ１０の前面には、図１６に示すように、パックホルダ１０を大判カメラの露光枠６６に位置決めする凸条６７，６８が形成されている。また、符号６９は、スライド枠５２がスライドされる摺接面とホルダ本体１０ａの内壁面との隙間から外光が射し込むことを阻止するテレンプ部材である。
【００５５】
このように構成されたフイルムパック１をパックホルダ１０に装填して蓋５１を閉じると、突条部５７が溝部２ｃに係合してキャップ部材２がホルダ１０ａと蓋５１との間に保持される。そして、突起５８によって突起８ｅ，８ｆが押し下げられて爪部材８が背面側に移動され、爪８ａ，８ｂが引蓋５の係合穴５ｂ，５ｃから外れるから引蓋５のロックは解除される。
【００５６】
パックホルダ１０を大判カメラの露光枠６６に装着してから、引蓋５を図１７に示す位置まで引き出すと、パック本体３の開口３ａが完全に開放され、１枚目のシートフイルムユニット４ａは圧板バネ１７によって押し上げられる。そして、シートフイルムユニット４ａは開口３ａを通り抜け、パックホルダ１０の受け面５４に押し付けられる。このとき、箱部６０ａに内臓したラッチ機構によってスライド枠５２はホルダ本体１０ａに係止されており、引蓋５の引出し操作に伴ってスライド枠５２がスライド移動されることはない。
【００５７】
そして、引蓋５を元の位置に戻すと、図１８に示すように、引蓋５は１枚目のシートフイルムユニット４ａと２枚目のシートフイルムユニット４ｂとの間に入り込み、露光位置にあるシートフイルムユニット４ａの平面性が確保される。このとき、箱部６０ａに内臓したラッチ機構により、引蓋５がパック本体３に係止されるとともに、ホルダ本体１０ａとスライド枠５２との係合が解除される。また、撮影者側から見える円弧状突起６４の窓に撮影準備完了を示す表示が出される。この状態で大判カメラのシャッタを開閉することによって、１枚目のシートフイルムユニット４ａに露光が行われる。
【００５８】
こうして１回目の撮影を終えた後に、把手５ａを把持して引くと、図１９に示すように、キャップ部材２だけをパックホルダ１０の奥に残してスライド枠５２とフイルムパック１とがパックホルダ１０から一体的に引き出される。このとき、受け面５４のエッジ部５４ｂにより、露光済みの１枚目のシートフイルムユニット４ａはそのままの位置に係止されるため、シートフイルムユニット４ａは、引蓋５の上面と受け面５４との隙間を通ってパック本体３から抜け出してゆく。
【００５９】
パック本体３から抜け出たシートフイルムユニット４ａは、板バネ５６によってホルダ本体１０ａの背面内壁側へ押し込まれる。この位置でスライド枠規制手段（図示省略）が作用してそれ以上はスライド枠５２の引き出しができなくなる。なお、このとき、引蓋５がパック本体３の開口３ａを閉鎖しているから、フイルムパック１がパックホルダ１０から引き出されても、パック本体３内のシートフイルムユニット４に外光が及ぶことはない。
【００６０】
次に、フイルムパック１をスライド枠５２とともにホルダ本体１０ａに挿入してゆくと、シートフイルムユニット４ａの後端部がシース受け部１３で規制されているため、シートフイルムユニット４ａは回収口１４を通ってパック本体３内に入り込み、圧板バネ１７に乗り上げ、未露光のシートフイルムユニット４の最下層に挿入される。
【００６１】
このようにして完全にフイルムパック１がスライド枠５２とともにホルダ本体１０ａ内に挿入されると、箱部６０ａに内臓されたカウンタ送り爪が送り爪受入開口部２０ｆを介してカウンタ表示板２１の下面に形成された爪部に係合してカウンタ表示板２１を１目盛り分だけ回動歩進させる。これによって、カウンタ表示窓２０ｇに表示された撮影可能枚数を示す数字が「１０」から「９」に変更される。そして、２枚目のシートフイルムユニット４ｂが引蓋５の真下に位置している以外は図１６と同様の状態になる。以下、同様の操作を繰り返すことによって次々と撮影を行うことができる。
【００６２】
上述した手順の繰り返しにより１０枚目のシートフイルムユニット４に撮影を行い、フイルムパック１の引き出し及び挿入操作を行うと、パック本体３内には露光済みのシートフイルムユニット４が撮影順に上から積層され、開口３ａは引蓋５で覆われた状態（図１６参照）となっている。
【００６３】
こうして１個のフイルムパック１について全撮影が終わると、カウンタ表示窓２０ｇに撮影可能枚数がゼロになったことを示す「Ｅ」が表示されるとともに、これに対応した高さの高い逆転防止爪２１ａによって押さえ板２２の上端２２ｃが上昇され、この上端２２ｃが遮蔽板２４の開口部２４ｄを介して引蓋５の係合穴５ｆに係合する。これによって、引蓋５がパック本体３に係止される。また、同時に蓋５１のロックが解除されるからノブ７０を操作して蓋５１を開ける。
【００６４】
蓋５１の回動とともに突起部５８による突起８ｅ，８ｆの押圧が解除されるから、爪部材８がバネ部８ｃ，８ｄの付勢によって上昇し、爪８ａ，８ｂが係合穴５ｂ，５ｃに係合してキャップ部材２と引蓋５とが連結される。一方、引蓋５の段付き部５ｄがパック本体３の端部に係合しているから、キャップ部材２がパック本体３に係止される。そして、突条部５７によるキャップ部材２の押さえが解除されるから使用済のフイルムパック１をパックホルダ１０から取り出すことができる。
【００６５】
なお、以上説明した実施例中に示した各部の寸法は、一つの例であって、本発明はこれらの数値に限定されないことは勿論である。また、テレンプ部材３５の溝３０の傾斜面３０ａへの固着を超音波溶着によって行ったが、例えばホットメルト接着剤等によって行ってもよい。
【００６６】
【発明の効果】
以上詳述したように、本発明のシートフイルムパックによれば、パック本体の引蓋との摺接面に断面形状がＶ字形の溝を引蓋のスライド方向と直角に形成し、この溝の少なくともフイルム露呈用の開口側の傾斜面に弾性板で裏打ちしたテレンプ部材をその縁部が溝の外まで突出するように固着したので、引蓋が厚み方向に移動してもテレンプ部材が常に密接し、引蓋とパック本体の摺接面との隙間から内部のフイルムに外光が射し込むことを確実に防止できる。また、弾性板で裏打ちしたテレンプ部材の両端部をガイドレールの溝の内側まで挿入するようにしたので、引蓋とガイドレールとの隙間から射し込む外光を確実に遮断できる。
【図面の簡単な説明】
【図１】ガイドレールの先端部とキャップ部材との関係を示す概略断面図である。
【図２】シートフイルムパックとパックホルダの外観図である。
【図３】シートフイルムパックを上方から観た平面図である。
【図４】シートフイルムパックの側方断面図である。
【図５】シートフイルムパックの正面図である。
【図６】キャップ部材の構造を示す分解斜視図である。
【図７】シートフイルムユニットの斜視図である。
【図８】カウンタ収納室の構造を示す分解斜視図である。
【図９】カウンタ収納室から遮蔽板を外した状態とテレンプ部材の固着状態を示す説明図である。
【図１０】パック本体の側方断面図である。
【図１１】溝にテレンプ部材を固着した状態及び引蓋とテレンプ部材との関係を示す。
【図１２】パック本体の上方から観た平面図である。
【図１３】パック本体の裏側から観た平面図である。
【図１４】引蓋の平面図である。
【図１５】引蓋の側面図と断面図である。
【図１６】初期状態におけるパックホルダとシートフイルムパックを示す要部端面図である。
【図１７】初期状態から引蓋を引き出した状態のパックホルダとシートフイルムパックを示す要部端面図である。
【図１８】撮影時のパックホルダとシートフイルムパックを示す要部端面図である。
【図１９】撮影後にスライド枠を引き出した状態のパックホルダとシートフイルムパックを示す要部端面図である。
【符号の説明】
１  フイルムパック
３  パック本体
３ｆ  摺接面
５  引蓋
６，７  ガイドレール
６ａ，７ａ，３０  溝
３０ａ  傾斜面
３４  弾性板
３５  テレンプ部材
【図１】
0003802470.tif 000003
【図２】
0003802470.tif 000004
【図３】
0003802470.tif 000005
【図４】
0003802470.tif 000006
【図５】
0003802470.tif 000007
【図６】
0003802470.tif 000008
【図７】
0003802470.tif 000009
【図８】
0003802470.tif 000010
【図９】
0003802470.tif 000011
【図１０】
0003802470.tif 000012
【図１１】
0003802470.tif 000013
【図１２】
0003802470.tif 000014
【図１３】
0003802470.tif 000015
【図１４】
0003802470.tif 000016
【図１５】
0003802470.tif 000017
【図１６】
0003802470.tif 000018
【図１７】
0003802470.tif 000019
【図１８】
0003802470.tif 000020
【図１９】
0003802470.tif 000021